(57)【要約】【課題】第三者には容易に映像を閲覧できないようにしつつ、所望のメンバーには簡易な処理で映像の閲覧を可能にする映像再生システム、携帯装置及び映像再生方法を提供する。【解決手段】投影機は、オリジナル映像を予め設定された暗号化方式で暗号化すると共に、暗号化された可視光映像であるスクランブル映像からオリジナル映像を復元するための暗号鍵を示す赤外線映像を生成し、スクランブル映像と赤外線映像とを重畳して投影する。撮影機は、投影された赤外線映像及びスクランブル映像をそれぞれ撮影し、該赤外線映像で示される暗号鍵を用いて、撮影されたスクランブル映像からオリジナル映像を復元し、復元後のオリジナル映像を表示する。【選択図】図１
2013162215.tif 000002
【特許請求の範囲】
【請求項１】
所望のメンバーに閲覧させたい可視光映像であるオリジナル映像を予め設定された暗号化方式で暗号化すると共に、該暗号化された可視光映像であるスクランブル映像から前記オリジナル映像を復元するための暗号鍵を示す赤外線映像を生成し、前記スクランブル映像と前記赤外線映像とを重畳して投影する投影機と、
投影された前記赤外線映像及び前記スクランブル映像をそれぞれ撮影し、該赤外線映像で示される暗号鍵を用いて、撮影された前記スクランブル映像から前記オリジナル映像を復元し、復元後の前記オリジナル映像を表示する撮影機と、
を有する映像再生システム。
【請求項２】
前記暗号鍵が、前記赤外線映像の画素毎または所定の領域毎の輝度で表される請求項１記載の映像再生システム。
【請求項３】
前記投影機は、
前記オリジナル映像の暗号化時、
前記オリジナル映像に対応するＲＧＢ信号をＨＬＳ信号に変換し、
前記画素毎または所定の領域毎に、該ＨＬＳ信号で示される前記オリジナル映像の色相成分を所定方向へ回転させた後、ＲＧＢ信号に変換して前記スクランブル映像を生成し、
前記画素毎または所定の領域毎に、前記色相成分の回転角度に対応した輝度となる赤外線映像を生成し、
前記撮影機は、
前記オリジナル映像の復元時、
撮影された前記スクランブル映像に対応するＲＧＢ信号をＨＬＳ信号に変換し、
該ＨＬＳ信号で示される前記スクランブル映像の色相成分を、前記画素毎または所定の領域毎の前記赤外線映像の輝度に基づき、前記投影機とは逆方向へ回転させた後、ＲＧＢ信号に変換して前記オリジナル映像を復元する請求項２記載の映像再生システム。
【請求項４】
前記投影機は、
前記スクランブル映像として投影する、予め決定された映像である公開映像のデータを保持しておき、
前記画素毎または所定の領域毎に、前記公開映像の色相成分と前記オリジナル映像の色相成分との差に対応した輝度となる赤外線映像を生成し、
前記公開映像と該赤外線映像とを重畳して投影する請求項２または３記載の映像再生システム。
【請求項５】
請求項１から４のいずれか１項記載の投影機または撮影機の少なくともいずれか一方を備えた携帯装置。
【請求項６】
投影機が、
所望のメンバーに閲覧させたい可視光映像であるオリジナル映像を予め設定された暗号化方式で暗号化すると共に、前記暗号化された可視光映像であるスクランブル映像から前記オリジナル映像を復元するための暗号鍵を示す赤外線映像を生成し、
前記スクランブル映像と前記赤外線映像とを重畳して投影し、
撮影機が、
投影された前記赤外線映像及び前記スクランブル映像をそれぞれ撮影し、
該赤外線映像で示される暗号鍵を用いて、撮影された前記スクランブル映像から前記オリジナル映像を復元し、
復元後の前記オリジナル映像を表示装置に表示する映像再生方法。
【請求項７】
前記暗号鍵が、前記赤外線映像の画素毎または所定の領域毎の輝度で表される請求項６記載の映像再生方法。
【請求項８】
前記投影機が、
前記オリジナル映像の暗号化時、
前記オリジナル映像に対応するＲＧＢ信号をＨＬＳ信号に変換し、
前記画素毎または所定の領域毎に、該ＨＬＳ信号で示される前記オリジナル映像の色相成分を所定方向へ回転させた後、ＲＧＢ信号に変換して前記スクランブル映像を生成し、
前記画素毎または所定の領域毎に、前記色相成分の回転角度に対応した輝度となる赤外線映像を生成し、
前記撮影機が、
前記オリジナル映像の復元時、
撮影された前記スクランブル映像に対応するＲＧＢ信号をＨＬＳ信号に変換し、
該ＨＬＳ信号で示される前記スクランブル映像の色相成分を、前記画素毎または所定の領域毎の前記赤外線映像の輝度に基づき、前記投影機とは逆方向へ回転させた後、ＲＧＢ信号に変換して前記オリジナル映像を復元する請求項７記載の映像再生方法。
【請求項９】
前記投影機が、
前記スクランブル映像として投影する、予め決定された映像である公開映像のデータを保持しておき、
前記画素毎または所定の領域毎に、前記公開映像の色相成分と前記オリジナル映像の色相成分との差に対応した輝度となる赤外線映像を生成し、
前記公開映像と該赤外線映像とを重畳して投影する請求項７または８記載の映像再生方法。
【発明の詳細な説明】
【技術分野】
【０００１】
本発明は、映像を閲覧するための映像再生システム、携帯装置及び映像再生方法に関する。
【背景技術】
【０００２】
近年、映像投影装置（プロジェクター）を内蔵した携帯電話機、デジタルカメラ、デジタルビデオカメラ等、各種の携帯装置が開発され、該携帯装置を利用した新しいコミュニケーションが提案されている。このようなプロジェクターを備えた携帯装置を用いると、どのような場所でも壁等をスクリーンに用いて映像を投影し、該映像を家族や友人等の所望のメンバーと閲覧できるようになる。しかしながら、個人情報を含む映像を投影する場合、不特定多数の人がいる公共の場では、投影・閲覧することに抵抗を感じることもある。
【０００３】
そこで、肉眼では見えない赤外線で映像を投影し、該投影された映像を、赤外線を感知可能なカメラ等を用いて撮影・表示することで、該カメラを介して映像を閲覧可能にする構成が、例えば特許文献１に記載されている。
【０００４】
しかしながら、特許文献１に記載された技術は、例えば通行人にカメラを操作させて広告を視認させることで、該通行人に広告の記憶がより強く残るようにすることを目的としたものであり、カメラを備えた第三者による投影映像の閲覧を制限できるものではない。
【０００５】
映像の閲覧を制限する方法としては、例えば映像をスクランブルして配信し、該スクランブルを解除するための暗号鍵をユーザに配布することで、各ユーザによる正常な映像の閲覧を可能にする方法がよく知られている。例えば特許文献２では、スクランブル後の映像に該スクランブルを解除するためのスクランブル付随情報を視認可能に重畳して配信し、ユーザの再生装置では、スクランブル付随情報を重畳する前後の差分情報をサーバ装置から取得して該差分情報に基づきスクランブル付随情報を抽出し、さらに抽出したスクランブル付随情報に基づいてサーバ装置から暗号鍵を取得することが記載されている。
【０００６】
なお、映像の閲覧を制限するものではないが、元の映像に赤外線によるスクランブル映像を重畳して投影し、カメラ等で違法に撮影される該投影映像にスクランブル映像を写りこませることで、違法な撮影を抑制する技術が特許文献３に記載されている。
【先行技術文献】
【特許文献】
【０００７】
【特許文献１】特開２０１０−０７２６０９号公報
【特許文献２】特許４５８８５１４号公報
【特許文献３】特開２００７−５２１２４号公報
【発明の概要】
【発明が解決しようとする課題】
【０００８】
上述したように特許文献１に記載された技術は投影映像の閲覧を制限できるものではない。また、特許文献１に記載された技術は、赤外線のみ用いて映像を投影するため、カラー映像を投影することができない。
【０００９】
特許文献２に記載された技術は、比較的重要度が低い情報（映像）を閲覧する場合に、該情報を閲覧可能にするために用いるセキュリティ対策としては過剰である。また、特許文献２に記載された技術は、スクランブルを解除するために煩雑な処理が必要であり、映像を再生する再生装置にも高い処理能力が要求されるため、再生装置のコストの上昇を招く問題もある。
【００１０】
特許文献３に記載の技術は、投影されたカラー映像に赤外線によるスクランブル映像を重畳し、カメラ等を用いて撮影された投影映像にスクランブル映像を強く写りこませることで、元のカラー映像の判読を困難にするものである。すなわち、特許文献３に記載された技術は、投影された映像を不特定多数の人が肉眼で閲覧できることに変わりはなく、該映像の閲覧を制限できるものではない。
【００１１】
本発明は上述したような背景技術が有する問題点を解決するためになされたものであり、第三者には容易に映像を閲覧できないようにしつつ、所望のメンバーには簡易な処理で映像の閲覧を可能にする映像再生システム、携帯装置及び映像再生方法を提供することを目的とする。
【課題を解決するための手段】
【００１２】
上記目的を達成するため本発明の映像再生システムは、所望のメンバーに閲覧させたい可視光映像であるオリジナル映像を予め設定された暗号化方式で暗号化すると共に、該暗号化された可視光映像であるスクランブル映像から前記オリジナル映像を復元するための暗号鍵を示す赤外線映像を生成し、前記スクランブル映像と前記赤外線映像とを重畳して投影する投影機と、
投影された前記赤外線映像及び前記スクランブル映像をそれぞれ撮影し、該赤外線映像で示される暗号鍵を用いて、撮影された前記スクランブル映像から前記オリジナル映像を復元し、復元後の前記オリジナル映像を表示する撮影機と、
を有する。
【００１３】
また、本発明の携帯装置は、上記投影機または撮影機の少なくともいずれか一方を備えた構成である。
【００１４】
また、本発明の映像再生方法は、投影機が、
所望のメンバーに閲覧させたい可視光映像であるオリジナル映像を予め設定された暗号化方式で暗号化すると共に、前記暗号化された可視光映像であるスクランブル映像から前記オリジナル映像を復元するための暗号鍵を示す赤外線映像を生成し、
前記スクランブル映像と前記赤外線映像とを重畳して投影し、
撮影機が、
投影された前記赤外線映像及び前記スクランブル映像をそれぞれ撮影し、
該赤外線映像で示される暗号鍵を用いて、撮影された前記スクランブル映像から前記オリジナル映像を復元し、
復元後の前記オリジナル映像を表示装置に表示する方法である。
【発明の効果】
【００１５】
本発明によれば、第三者には容易に映像を閲覧できないようにしつつ、所望のメンバーには簡易な処理で映像の閲覧が可能になる。
【図面の簡単な説明】
【００１６】
【図１】本発明の映像再生システムの一構成例を示す模式図である。
【図２】図１に示した映像再生システムの一実施形態の構成例を示すブロック図である。
【図３】図２に示した映像再生システムにおける映像投影時の処理手順の一例を示すフローチャートである。
【図４】図２に示した映像再生システムにおける映像撮影時の処理手順の一例を示すフローチャートである。
【発明を実施するための形態】
【００１７】
次に本発明について図面を用いて説明する。
【００１８】
図１は、本発明の映像再生システムの一構成例を示す模式図である。
【００１９】
図１に示すように、本発明の映像再生システムは、投影機１及び撮影機２を備える。
【００２０】
投影機１は、所望のメンバーに閲覧させたい可視光映像（以下、オリジナル映像と称す）を予め設定された暗号化方式でスクランブル処理（以下、暗号化と称す）すると共に、暗号化された可視光映像（以下、スクランブル映像と称す）からオリジナル映像を復元（以下、復号と称す）するための暗号鍵を示す赤外線映像を生成し、該スクランブル映像と赤外線映像とを重畳して投影する。
【００２１】
撮影機２は、重畳して投影された赤外線映像及びスクランブル映像をそれぞれ撮影し、該赤外線映像で示される暗号鍵を用いて、撮影されたスクランブル映像からオリジナル映像を復元し、復元後のオリジナル映像を表示する。なお、本明細書で使用する用語「映像」とは、動画像だけでなく静止画像も含むものとする。
【００２２】
投影機１及び撮影機２は、オリジナル映像の暗号化や復号に利用可能な暗号化方式及び該暗号化で用いるパラメータ等を含む暗号化情報を予め共有する。投影機１及び撮影機２は、周知の通信手段（不図示）を備え、該通信手段を用いて互いに情報を送受信することで上記暗号化情報を共有する。そのような通信手段としては、赤外線通信、Ｂｌｕｅｔｈｏｏｔｈ（登録商標）、ＺｉｇＢｅｅ、ＵＷＢ（Ultra Wide Band）等がある。暗号化方式は、周知のどのような方式を用いてもよく、例えば後述するＲＧＢ−ＨＬＳ変換を利用した暗号化方式のように、撮影機２による復号時の処理負荷が少ないものが望ましい。暗号化情報は、投影機１または撮影機２のユーザが投影前に設定してもよく、投影機１または撮影機２が自動で設定してもよい。
【００２３】
図２は、図１に示した映像再生システムの一実施形態の構成例を示すブロック図である。
【００２４】
図２は、映像再生システムとして、図１に示した投影機１及び撮影機２の機能をそれぞれ備えた携帯装置３の一構成例を示している。このような携帯装置３としては、携帯電話機、デジタルカメラ、デジタルビデオカメラ、ノート型やタブレット型のパーソナルコンピュータ、ＰＤＡ（Personal Digital Assistants）、ゲーム機等が考えられる。
【００２５】
図２に示すように、本実施形態の携帯装置３は、可視光投影部３１、赤外線投影部３２、可視光撮影部３３、赤外線撮影部３４、表示部３５、通信部３６、キー操作部３７及び制御部３８を有する。
【００２６】
図１に示した投影機１は、図２に示す可視光投影部３１、赤外線投影部３２、表示部３５、通信部３６、キー操作部３７及び制御部３８を備えた構成で実現可能であり、図１に示した撮影機２は、図２に示す可視光撮影部３３、赤外線撮影部３４、表示部３５、通信部３６、キー操作部３７及び制御部３８を備えた構成で実現可能である。携帯装置３は、投影機１としての機能のみ備えていてもよく、撮影機２としての機能のみ備えていてもよい。
【００２７】
可視光投影部３１は、例えば光源となる、Ｒ（赤），Ｇ（緑），Ｂ（青）の３色のＬＥＤ（Light Emitting Diode）及び投影光学系を備え、制御部３８から供給される映像信号にしたがって、各ＬＥＤの出力光を投影光学系により色合成しつつスクリーンとなる壁等へ走査・投影することで、該スクリーン上に可視光映像を形成する。投影光学系は、レンズ、ミラー、プリズム等の投影方式に対応した複数の光学部品を備えて構成される。
【００２８】
赤外線投影部３２は、赤外線ＬＥＤ及び投影光学系を備え、制御部３８から供給される映像信号にしたがって、赤外線ＬＥＤの出力光を投影光学系によりスクリーンとなる壁等へ走査・投影することで、該スクリーン上に赤外線映像を形成する。赤外線投影部３２が備える投影光学系も、可視光投影部３１と同様にレンズ、ミラー、プリズム等の投影方式に対応した複数の光学部品を備えて構成される。
【００２９】
可視光撮影部３３は、可視光を感知可能なイメージセンサを含むカメラを備え、スクリーン上に投影されたカラー映像（可視光映像）を撮影してその映像信号を出力する。
【００３０】
赤外線撮影部３４は、赤外線を感知可能なイメージセンサを含むカメラを備え、スクリーン上に投影された赤外線映像を撮影してその映像信号を出力する。赤外線撮影部３４は、例えば赤外線透過フィルターを備え、該赤外線透過フィルターによってスクリーン上に投影された映像から赤外線映像を抽出して撮影する。
【００３１】
キー操作部３７は、携帯装置３のユーザによる各種の操作や設定、情報の入力等に用いられる、キーボードやスイッチ等の入力装置である。
【００３２】
表示部３５は、投影する映像、撮影した映像、ユーザによるキー操作部３７を用いた携帯装置３に対する各種の設定値や入力情報、あるいはそれらの操作に必要な画像等の、制御部３８から供給される映像信号にしたがって映像を表示する、液晶ディスプレイや有機ＥＬパネル等である。表示部３５の表示面上には、表示された映像に基づいて、文字、数字、記号等の情報を携帯装置３に入力するためのタッチパネルが設置されていてもよい。表示部３５は携帯装置３内に必ずしも備える必要はない。その場合、携帯装置３は、例えば外部の表示装置と接続可能なインタフェース回路を備え、該インタフェース回路を用いて表示装置に所要の映像を表示させればよい。
【００３３】
通信部３６は、少なくとも投影機１または撮影機２としての機能を備えた他の携帯装置３等と情報を送受信するための周知の通信手段であり、上記暗号化情報の送受信等に用いられる。通信部３６は、上記赤外線通信、Ｂｌｕｅｔｈｏｏｔｈ（登録商標）、ＺｉｇＢｅｅ、ＵＷＢ（Ultra Wide Band）等に準拠する無線通信回路で実現される。
【００３４】
制御部３８は、可視光投影部３１、赤外線投影部３２、可視光撮影部３３、赤外線撮影部３４、表示部３５、通信部３６及びキー操作部３７の動作を制御する。
【００３５】
制御部３８は、上記オリジナル映像を予め設定された暗号化方式で暗号化し、可視光投影部３１に該暗号化後の可視光映像であるスクランブル映像を投影させると共に、該スクランブル映像を復号するための暗号鍵を示す赤外線映像を生成し、赤外線投影部３２に該赤外線映像を投影させる。また、制御部３８は、赤外線撮影部３４で撮影された赤外線映像を暗号鍵に用いて可視光撮影部３３で撮影されたスクランブル映像を復号し、復号後のオリジナル映像を表示部３５に表示させる。制御部３８は、例えばＣＰＵ、メモリ、各種の論理回路等を備えた周知の情報処理装置（コンピュータや情報処理用のＩＣ）で実現できる。その場合、制御部３８は、メモリに格納されたプログラムにしたがってＣＰＵが処理を実行することで、本実施形態の映像再生システムが備える投影機１や撮影機２としての機能を実現する。
【００３６】
このような構成において、次に本実施形態の暗号化方式について説明する。
【００３７】
上述したように、本実施形態の映像再生システムではオリジナル映像の暗号化にどのような暗号化方式を用いてもよいが、ここでは暗号化方式としてＲＧＢ−ＨＬＳ変換を利用した方法を例示する。なお、ＲＧＢは、スクリーン上に投影される映像の画素毎の色を、赤（Red）、緑（Green）、青（Blue）の３つの原色成分で表したものである。ＨＬＳは、スクリーン上に投影される映像の画素毎の色を、色相（Hue）、彩度（Saturation）、輝度（Lightness/LuminanceまたはIntensity）の３つの成分で表したものである。
【００３８】
本実施形態の映像再生システムでは、例えばオリジナル映像を暗号化する場合、制御部３８は、まず該オリジナル映像に対応するＲＧＢ信号をＨＬＳ信号に変換し、変換後のＨＬＳ信号において、色相成分を０〜１８０度の範囲で右回転させ、かつ輝度成分を反転させ、彩度成分はそのままの値で出力する。その後、ＨＬＳ信号をＲＧＢ信号に変換し、可視光投影部３１を用いて変換後のＲＧＢ信号にしたがって暗号化した可視光映像を投影させる。
【００３９】
ＨＬＳ信号の色相成分、輝度成分及び彩度成分は、画素単位で変更してもよく、予め設定した領域単位で変更してもよい。ＨＬＳ信号における色相成分、輝度成分及び彩度成分は、暗号化前のオリジナル映像を判読困難にできれば、どのように変更してもよい。但し、赤外線映像では、基本的に一種類の成分の変更情報しか示すことができないため、画素毎や所定の領域毎に変更可能な成分は、色相、輝度または彩度のいずれか一つとなる。
【００４０】
このとき、制御部３８は、画素毎または所定の領域毎に、ＨＬＳ信号において右回転させた色相成分の角度に対応する輝度の暗号鍵用の映像信号を生成する。すなわち、暗号鍵は赤外線映像の画素毎または所定の領域毎の輝度で表され、赤外線映像はスクランブル映像の各画素または各領域の位置に対応して赤外線の輝度が異なる映像となる。
【００４１】
例えば、赤外線映像の最大輝度を１とし、最小輝度を０とした場合、ＨＬＳ信号の色相成分を０度右回転させた画素または領域では輝度が０であり、色相成分を９０度右回転させた画素または領域では輝度が０．５であり、色相成分を１８０度右回転させた画素または領域では輝度が１である赤外線映像を生成すればよい。オリジナル映像が動画像の場合、制御部３８は該動画像の各フレームに対応する赤外線映像を生成する。この場合、赤外線映像は、スクランブル映像の各画素または各領域の位置に対応して赤外線の輝度が異なるだけでなく、時間の経過と供に各画素または各領域に対応する赤外線の輝度が変化する映像となる。
【００４２】
一方、スクランブル映像の復号時、制御部３８は、まず可視光撮影部３３から出力された暗号化された可視光映像に対応するＲＧＢ信号をＨＬＳ信号に変換し、赤外線撮影部３４から出力された赤外線映像信号に基づき、画素毎または所定の領域毎に、ＨＬＳ信号の色相成分を０〜−１８０度の範囲で左回転させ、かつ輝度成分を反転させ、彩度成分はそのままの値で出力する。例えば赤外線の輝度が０の画素または領域ではＨＬＳ信号の色相成分を０度回転させ、赤外線映像の輝度が０．５の画素または領域ではＨＬＳ信号の色相成分を−９０度回転させ、赤外線映像の輝度が１の画素または領域ではＨＬＳ信号の色相成分を−１８０度回転させればよい。その後、ＨＬＳ信号をＲＧＢ信号に変換し、変換後のＲＧＢ信号にしたがって表示部３５に復号されたオリジナル映像を表示させる。
【００４３】
なお、オリジナル映像の暗号化時、ＨＬＳ信号の色相成分は左回転させてもよい。その場合、復号時にはＨＬＳ信号の色相成分を右回転させればよい。また、色相成分の回転角度は０〜１８０度の範囲である必要はなく、どのような範囲に設定してもよい。例えば色相成分を、０〜９０度、０〜２７０度、０〜３６０度等の範囲で回転させてもよく、４５〜２２５度、９０〜２７０度等のように予め設定した一定角度だけオフセットさせてもよい。
【００４４】
次に本実施形態の映像表示システムの動作について図面を用いて説明する。
【００４５】
図３は図２に示した映像再生システムにおける映像投影時の処理手順の一例を示すフローチャートであり、図４は図２に示した映像再生システムにおける映像撮影時の処理手順の一例を示すフローチャートである。
【００４６】
なお、映像投影時、映像表示システムは予めユーザの操作により可視光映像及び赤外線映像の投影が可能な映像投影モードに切り替えられ、映像撮影時、映像表示システムは予めユーザの操作により可視光映像及び赤外線映像の撮影が可能な映像撮影モードに切り替えられるものとする。図３及び図４は、これらのモードへ切り替えられた後の制御部３８による処理手順の一例を示している。
【００４７】
まず本実施形態の映像表示システムによる映像投影時の動作について図３を用いて説明する。
【００４８】
図３に示すように、映像投影モードの動作を開始すると、制御部３８は、まず暗号化方式を自動で設定するか手動で設定するかをユーザに選択させるための画像を表示部３５に表示させ（ステップＳ１１）、ユーザによる入力操作を待ち受ける。
【００４９】
ユーザが表示画像にしたがって設定結果を入力すると、制御部３８はユーザが「自動」を選択したか「手動」を選択したか判定する（ステップＳ１２）。
【００５０】
ユーザが「自動」を選択した場合、制御部３８は、暗号化方式や該暗号化で用いるパラメータ等の暗号化情報を決定し（ステップＳ１３）、通信部３６を用いてそれら暗号化情報を映像撮影モードに設定された各メンバーの携帯装置３へ送信する（ステップＳ１４）。
【００５１】
一方、ユーザが「手動」を選択した場合、制御部３８は、暗号化方式及び該暗号化で用いるパラメータ等をユーザに選択または入力させるための画像を表示部３５に表示させ、ユーザによる入力操作を待ち受ける（ステップＳ１５）。その場合、ユーザは、例えば閲覧するメンバーと相談して暗号化方式やパラメータを決定し、決定した暗号化方式やパラメータ等を、映像投影モード及び映像撮影モードに設定された各メンバーの携帯装置３にそれぞれ選択または入力させる。
【００５２】
暗号化方式やパラメータの設定が完了すると、制御部３８は、ユーザの操作により選択された投影対象となるオリジナル映像を、設定された暗号化方式にしたがって暗号化し、暗号化後の可視光映像信号を生成すると共に、その暗号鍵を示す赤外線映像信号を生成する（ステップＳ１６）。
【００５３】
続いて、制御部３８は、可視光投影部３１を用いて暗号化後の可視光映像（スクランブル映像）を投影させ、赤外線投影部３２を用いて赤外線映像を投影させる（ステップＳ１７）。
【００５４】
次に、制御部３８は、ユーザの操作により投影停止指示が入力されたか否かを判定し（ステップＳ１８）、投影停止指示が入力された場合は映像の投影を終了する。投影停止指示が入力されていない場合はステップＳ１６の処理に戻ってステップＳ１６からステップＳ１８の処理を繰り返す。
【００５５】
次に本実施形態の映像表示システムによる映像撮影時の動作について図４を用いて説明する。
【００５６】
図４に示すように、映像撮影モードの動作を開始すると、制御部３８は、まず暗号化方式を自動で設定するか手動で設定するかをユーザに選択させるための画像を表示部３５に表示させ、ユーザによる入力操作を待ち受ける（ステップＳ２１）。
【００５７】
ユーザが表示画像にしたがって設定結果を入力すると、制御部３８はユーザが「自動」を選択したか「手動」を選択したか判定する（ステップＳ２２）。
【００５８】
ユーザが「自動」を選択した場合、制御部３８は、例えば映像投影モードに設定された携帯装置３から送信される暗号化情報を受信する（ステップＳ２３）。
【００５９】
一方、ユーザが表示画像にしたがって「手動」を選択した場合、制御部３８は、暗号化方式及び該暗号化で用いるパラメータ等を選択または入力させるための画像を表示部３５に表示させ、ユーザによる入力操作を待ち受ける（ステップＳ２４）。その場合、ユーザは、例えば閲覧するメンバーと相談して暗号化方式やパラメータを決定し、決定した暗号化方式やパラメータ等を、映像投影モード及び映像撮影モードに設定された各メンバーの携帯装置３にそれぞれ選択または入力させる。
【００６０】
暗号化方式やパラメータが設定され、ユーザの操作により可視光撮影部３３及び赤外線撮影部３４を用いて投影された映像の撮影を開始すると（ステップＳ２５）、制御部３８は、赤外線撮影部３４から出力された赤外線映像信号を暗号鍵に用いて、可視光撮影部３３から出力された可視光映像信号を復号し、復号後の映像信号にしたがってオリジナル映像を表示部３５に表示させる（ステップＳ２６）。
【００６１】
次に、制御部３８は、ユーザの操作により撮影停止指示が入力されたか否かを判定し（ステップＳ２７）、撮影停止指示が入力された場合は映像の撮影を終了する。撮影停止指示が入力されていない場合はステップＳ２５の処理に戻ってステップＳ２５からステップＳ２７の処理を繰り返す。
【００６２】
本実施形態の映像再生システムによれば、所望のメンバーに閲覧させたいオリジナル映像をスクランブル（暗号化）して投影することで、投影された可視光映像（スクランブル映像）から暗号化前のオリジナル映像を判読できないようになる。また、投影されたスクランブル映像を単にカメラ等で撮影しても暗号化前のオリジナル映像を再生できるものではない。
【００６３】
さらに、スクランブル映像とそれを解除するための暗号鍵を示す赤外線映像とを重畳して投影することで、予めメンバーの各携帯装置３で暗号化情報を共有しておけば、各携帯装置３は簡易な処理で暗号鍵を入手してオリジナル映像を復元できる。すなわち、本実施形態の映像再生システムでは、オリジナル映像に簡易なセキュリティ対策を施すことができる。
【００６４】
したがって、不特定多数の人が周囲にいる状況において、第三者には容易に映像を閲覧できないようにしつつ、所望のメンバーには簡易な処理で映像の閲覧が可能になる。
【００６５】
本発明の映像再生システムを用いると、例えば特定の商品購入者にのみ特典映像の視聴サービスを提供したり、性別や年齢等に応じて閲覧制限が設けられた映像を、該制限を遵守しつつ視聴したりできるようになる。
【００６６】
なお、上記説明では、スクリーンとなる壁等へ可視光及び赤外線から成る映像を投影する投影機１を備える構成例を示しているが、本発明の映像再生システムは、該投影機１に代えて、可視光及び赤外線から成る映像を重畳して表示する表示装置を備えた構成でもよい。
【００６７】
また、上記説明では、暗号化後の可視光映像（スクランブル映像）をスクリーンに投影する例を示しているが、投影する映像は、オリジナル映像と異なっていればよく、どのような映像でもよい。一般に、スクランブル映像は、人工的に加工したものであり、自然な映像ではないため、そのまま閲覧すると不快に感じることがある。その場合、例えば予め投影する映像（以下、公開映像と称す）を決定し、そのデータを投影機１の機能を備えた携帯装置３に保持しておき、該携帯装置３は、該公開映像の色相とオリジナル映像の色相との差に基づいて暗号鍵となる赤外線映像を作成し、該赤外線映像を公開映像に重畳して投影してもよい。
【００６８】
ここで、公開映像として正常な（自然な）映像を選択すれば、撮影機２による操作時に暗号化後のスクランブル映像も閲覧することになる各メンバーや該メンバー以外の他人が投影された公開映像を閲覧しても不快に感じることがない。
【符号の説明】
【００６９】
１    投影機
２    撮影機
３    携帯装置
３１    可視光投影部
３２    赤外線投影部
３３    可視光撮影部
３４    赤外線撮影部
３５    表示部
３６    通信部
３７    キー操作部
３８    制御部
【図１】
2013162215.tif 000003
【図２】
2013162215.tif 000004
【図３】
2013162215.tif 000005
【図４】
2013162215.tif 000006